(57)【要約】【課題】複合型店舗において、顧客の購入商品から店舗ロゴマークとコマーシャルメッセージなどを適切に選択してレシートに印字するＰＯＳ装置を提供する。【解決手段】複数の店舗からなる複合型店舗におけるＰＯＳ装置において、入力された商品データに基づいて商品情報を登録する商品情報登録手段と、一取引内に登録された商品情報を基に各店舗毎の購入商品数を求める商品数計算手段と、求められた商品数を基にレシートに出力する店舗を決定する店舗決定手段と、決定された店舗のロゴマークおよびメッセージをレシートデータに編集し出力するレシートデータ編集出力手段とを有することを特徴とするＰＯＳ装置。【選択図】図１
2005228021.tif 000002
【特許請求の範囲】
【請求項１】
複数の店舗からなる複合型店舗におけるＰＯＳ装置において、
入力された商品データに基づいて商品情報を登録する商品情報登録手段と、
一取引内に登録された商品情報を基に各店舗毎の購入商品数を求める商品数計算手段と、
求められた商品数を基にレシートに出力する店舗を決定する店舗決定手段と、
決定された店舗のロゴマークおよびメッセージをレシートデータに編集し出力するレシートデータ編集出力手段とを有することを特徴とするＰＯＳ装置。
【請求項２】
商品数計算手段が、登録された商品情報の中の所定の特定商品について各店舗毎の商品数を求めることを特徴とする請求項１記載のＰＯＳ装置。
【請求項３】
複数の店舗からなる複合型店舗におけるＰＯＳ装置において、
入力された商品データに基づいて商品情報を登録する商品情報登録手段と、
一取引内に登録された商品情報を基に各店舗毎の購入金額を求める購入金額計算手段と、
求められた購入金額を基にレシートに出力する店舗を決定する店舗決定手段と、
決定された店舗のロゴマークおよびメッセージをレシートデータに編集し出力するレシートデータ編集出力手段とを有することを特徴とするＰＯＳ装置。
【請求項４】
購入金額計算手段が、登録された商品情報の中の所定の特定商品について各店舗毎の購入金額を求めることを特徴とする請求項３記載のＰＯＳ装置。
【発明の詳細な説明】
【技術分野】
【０００１】
本発明は、ＰＯＳ装置におけるレシート印字に関する。
【背景技術】
【０００２】
店舗で発行するレシートには、領収書として代金を受領した店舗のロゴマークを印字している。しかし現状では、複合型店舗、すなわち１つの建屋に複数屋号、称号の異なる店舗、例えば食料品販売会社のＡ社とホームセンタＢ社等、が同時に販売運営する形態の店舗においては、いずれか１つの店舗ロゴマークで固定で印字しており、代金を受領した店舗とレシートに印字された店舗ロゴマークが一致していない場合がある。
【０００３】
そのため、顧客の購入商品をチェックして、商品に対応する店舗ロゴマークおよびコマーシャルメッセージなどをレシートに印字する方式が提案されている。（例えば、特許文献１参照。）
【特許文献１】特願平１５−２９４７９５号公報（第１１図）
【発明の開示】
【発明が解決しようとする課題】
【０００４】
しかし、複合型店舗において、店舗ロゴマークとコマーシャルメッセージを店舗毎に整理してレシートに印字するだけでは、顧客の購入商品に応じた適切な店舗ロゴマークとコマーシャルメッセージなどを印字することができない。従って、各店舗における購入商品数または購入金額などの顧客の購入情報を基に、店舗ロゴマークとコマーシャルメッセージなどをレシートに印字することが求められている。
【０００５】
本発明は、複合型店舗において、顧客の購入商品から店舗ロゴマークとコマーシャルメッセージなどを適切に選択してレシートに印字するＰＯＳ装置を提供する。
【課題を解決するための手段】
【０００６】
本発明の複数の店舗からなる複合型店舗におけるＰＯＳ装置は、入力された商品データに基づいて商品情報を登録する商品情報登録手段と、一取引内に登録された商品情報を基に各店舗毎の購入商品数を求める商品数計算手段と、求められた商品数を基にレシートに出力する店舗を決定する店舗決定手段と、決定された店舗のロゴマークおよびメッセージをレシートデータに編集し出力するレシートデータ編集出力手段とを有する構成である。
【０００７】
この構成により、購入商品から商品数の多い店舗を選択し、その店舗メッセージのロゴマークとコマーシャルメッセージをレシートに印字することができるので、顧客の購入情報を基にした適切な情報を印字することができる。
【０００８】
また、商品数計算手段が、登録された商品情報の中の所定の特定商品について各店舗毎の商品数を求める構成である。
【０００９】
この構成により、商品の中から販売者が強調したい商品、例えばキャンペーン商品の購入商品数の多い店舗を選択してそのロゴマークとコマーシャルメッセージをレシートに印字することができるので、顧客の購入情報を基に適切な情報を印字することができる。
【００１０】
また、複数の店舗からなる複合型店舗におけるＰＯＳ装置において、複数の店舗からなる複合型店舗におけるＰＯＳ装置において、入力された商品データに基づいて商品情報を登録する商品情報登録手段と、一取引内に登録された商品情報を基に各店舗毎の購入金額を求める購入金額計算手段と、求められた購入金額を基にレポートに出力する店舗を決定する店舗決定手段と、決定された店舗のロゴマークおよびメッセージをレシートデータに編集し出力するレシートデータ編集出力手段とを有する構成である。
【００１１】
この構成により、購入商品から商品金額の多い店舗を選択して、その店舗メッセージのロゴマークとコマーシャルメッセージをレシートに印字することができるので、顧客の購入情報を基にした適切な情報を印字することができる。
【００１２】
また、購入金額計算手段が、登録された商品情報の中の所定の特定商品について各店舗毎の購入金額を求める構成である。
【００１３】
この構成により、商品の中から販売者が強調したい商品、例えばキャンペーン商品の購入金額の多い店舗を優先してそのロゴマークとコマーシャルメッセージをレシートに印字することができるので、顧客の購入情報を基にした適切な情報を印字することができる。
【発明の効果】
【００１４】
本発明により、顧客の購入商品から顧客の購入情報に基づいた店舗ロゴマークとコマーシャルメッセージを適切に選択してレシートに出力することができる。
【発明を実施するための最良の形態】
【００１５】
【実施例１】
【００１６】
図1に実施例のＰＯＳ装置の構成図を示す。
【００１７】
ＰＯＳ装置１は、入力部２、表示部３、印字方式設定部４、商品登録部５、店舗決定処理部６、レシートデータ編集部７、レシート印字部８、商品情報ファイル９、記憶部１０を有する。
【００１８】
入力部２は、バーコードスキャナ、キーボード等で、商品データを入力する。
【００１９】
表示部３は、顧客の購入商品の明細などを表示する。
【００２０】
印字方式設定部４は、レシートの店舗ロゴマーク印字方式、例えば買い上げ点数優先方式、買い上げ金額優先方式や複数の会社のロゴマークの構成、大きさ、フォントサイズ等を設定格納する。
【００２１】
商品登録部５は、入力部２から入力された商品コードを基に、商品情報ファイル９を検索して商品名、商品価格などの商品情報を記憶部１０のワーク領域に登録する。
【００２２】
店舗決定処理部６は、商品情報を基に商品を店舗毎に分類し、また印字方式に従って店舗ロゴマーク、メッセージなどを決定する。
【００２３】
レシートデータ編集部７は、決定された店舗ロゴマーク、店舗メッセージと商品情報とを編集してレシートデータを完成する。
【００２４】
レシート印字部８は、レシートデータをレシートに印字する。
【００２５】
商品情報ファイル９は、ＰＬＵマスタ、部門マスタ、店舗名ロゴファイル、コマーシャルメッセージファイル、店舗マッピングテーブル、特定商品定義テーブルを有する。
【００２６】
ＰＬＵマスタは、買上げ商品のバーコードをスキャンを実施したときに参照されるファイルであり、商品の価格、名称、部門などの情報を持つ主要ファイルである。
【００２７】
部門マスタは、取扱商品を分類分け、例えば生鮮、野菜、菓子、工具、塗料他にして部門として定義するファイルである。
【００２８】
店舗名ロゴファイルは、複合型店舗で使用する全ての店舗のロゴマークを定義するファイルである。
【００２９】
コマーシャルメッセージファイルは、複合型店舗で使用する全ての店舗のコマーシャルメッセージを定義するファイルである。
【００３０】
店舗マッピングテーブルは、部門とその帰属する店舗の組み合わせを規定するファイルである。
【００３１】
特定商品定義テーブルは、一般商品より優先して、店舗ロゴマーク、コマーシャルメッセージを決定づけるキャンペーン商品等の特別な商品を設定する。
【００３２】
図２に実施例のＰＯＳ装置の処理の流れ図を示す。
【００３３】
まず、ＰＯＳ装置１の起動時の初期処理では、印字方式設定部４に設定されている印字方式などの情報を取得して記憶部１０の設定情報領域に格納する(S1ステップ)。
【００３４】
印字方式設定部４への印字方式の設定は、図示していない保守パネル等により設定する。
【００３５】
ＰＯＳ装置１の起動後、複合店舗で購入された購入商品が顧客によりレジに持ち込まれる。
【００３６】
レジのオペレータは、商品に付与されたバーコードを入力部２で読み取る(S2ステップ)。
【００３７】
読み取られたデータは、商品登録部５に送付され、商品登録の処理がされる。
【００３８】
例えば、商品情報ファイル９を参照して、入力部２でバーコードをスキャナで読み取ったスキャンコードから商品の価格、名称、部門等を取得して、買い上げ商品に係わるデータを記憶部１０に登録するとともに、表示部３に明細を表示する。
【００３９】
次に、小計、または中止キーの押下の有無を確認する(S3ステップ)。
【００４０】
小計、または中止キーの押下がなければ、S1ステップに戻る。
【００４１】
小計、または中止キーを押下していれば、中止キーの押下の有無を確認する(S4ステップ)。
【００４２】
中止キーの押下であるならば、商品登録を中止し、処理を終了する。
【００４３】
小計キーの押下であるならば、レシートデータ編集処理を実行する(S5ステップ)。
【００４４】
図３にレシートデータ編集処理の流れ図を示す。
【００４５】
まず、登録商品１件を記憶部１０から読み込む(S11ステップ)。
【００４６】
次にレシートデータ編集を行う(S12ステップ)。
【００４７】
図９に記憶部の説明図を示す。
【００４８】
例えば、登録商品に対応した商品名、価格などをレシート印字レイアウトに沿ってデータを編集し、記憶部１０のレシート編集用ワーク領域に格納する。
【００４９】
次に、登録商品の帰属する部門をキーに店舗マッピングテーブルを検索し、店舗の識別子を抽出する(S13ステップ)。
【００５０】
図８にテーブルの説明図を示す。
【００５１】
例えば商品名称ニンジンであれば、図８(a)のPLUマスタの部門キー００２をキーにして、図８(e)の店舗マッピングテーブルを見ると、識別子が０１が得られる。識別子０１は、図８(c)の店舗名ロゴファイルから「スーパーフードセンター“Ａ”」であることがわかる。
【００５２】
次に、その商品が特定商品か否かを確認する(S14ステップ)。
【００５３】
特定商品とは、Ａ社とＢ社の何れかのキャンペーン商品を含む場合等、予め定めておいた商品である。
【００５４】
例えば、図８(f)に示す特定商品定義テーブルのスキャンコードから特定商品として定義されているか否かを判別する。
【００５５】
特定商品でなければ、印字方式が売上げ点数かを確認する(S15ステップ)。
【００５６】
印字方式が売上げ点数の場合には、抽出した識別子に対応する記憶部１０の一般商品用ワーク領域の売上点数加算領域にて、売上点数を加算するとともに、ワーク領域のレシート編集データ領域にレシート編集用ワーク領域からレシート編集データを転送し格納する(S16ステップ)。
【００５７】
印字方式が売上げ点数でないときには、抽出した識別子に対応する記憶部１０の一般商品用ワーク領域の売上金額加算領域にて、売上金額を加算するとともに、ワーク領域のレシート編集データ領域にレシート編集用ワーク領域からレシート編集データを転送し格納する (S17ステップ)。
【００５８】
特定商品の場合には、印字方式が売上げ点数かを確認する(S18ステップ)。
【００５９】
印字方式が売上げ点数なら抽出した識別子に対応する記憶部１０の特定商品用のワーク領域の売上点数加算領域にて、売上点数を加算するとともに、ワーク領域のレシート編集データ領域にレシート編集用ワーク領域からレシート編集データを転送し格納する (S19ステップ)。
【００６０】
印字方式が売上げ点数でない場合には、抽出した識別子に対応する記憶部１０の特定商品用のワーク領域の売上金額加算領域にて、売上金額を加算するとともに、ワーク領域のレシート編集データ領域にレシート編集用ワーク領域からレシート編集データを転送し格納する (S20ステップ)。
【００６１】
登録商品が終了したか否かを確認する(S21ステップ)。
【００６２】
登録商品終了でなければ、S11ステップに戻る。
【００６３】
登録商品が完了していたならば、記憶部１０の各加算領域の加算値を比較し、値の大きい店舗を印字対象の店舗として決定する。そして、決定された店舗の識別子から店舗名ロゴファイルとコマーシャルメッセージファイルを参照して、店舗ロゴマークとコマーシャルメッセージを取得する(S22ステップ)。
【００６４】
このとき、同一識別子に特定商品がある場合には優先の扱いとし、その加算値の比較にて、印字対象とする店舗を決定する。
【００６５】
次に、レシート編集データと店舗ロゴマークとコマーシャルメッセージを統合するレシート編集を行う(S23ステップ)。
【００６６】
このとき、同一識別子に特定商品と一般商品がある場合には、特定商品と一般商品とをまとめて、レシート編集を行う。
【００６７】
次に、そのデータをもとにレシートに印字して顧客に提供する(図２のS６ステップ)。
【００６８】
図４に買上げ点数優先方式のレシート印字例を示す。
【００６９】
「店舗ロゴマーク」と「コマーシャルメッセージ」について「買上げ点数優先方式」を採用する。
【００７０】
すなわち、Ａ社とＢ社に分類される商品を混在して購入した場合に、何れかの社に属する買上げ点数が多い方の「店舗ロゴマーク」と「コマーシャルメッセージ」をレシートに印字する。
【００７１】
図４(a)では、顧客の購入商品について下線で示すようにＡ社商品が４点あり、一方Ｂ社商品が１点あるため、顧客の例えばＡ社での買物傾向が強いと判断している。そのため、Ａ社の「店舗ロゴマーク」と「コマーシャルメッセージ」をレシートに商品明細とともに印字する例である。図４(b)は、Ａ社とＢ社が逆の例である。
【００７２】
図５に買上げ金額優先方式のレシート印字例を示す。
【００７３】
「店舗ロゴマーク」と「コマーシャルメッセージ」について「買上げ金額優先方式」を採用する。
【００７４】
すなわち、Ａ社とＢ社に分類される商品を混在して購入した場合に、何れかの社に属する買上げ金額の数が多い方の「店舗ロゴマーク」と「コマーシャルメッセージ」をレシートに印字する。
【００７５】
図５(a)では、顧客の購入商品について下線で示すＡ社の買い上げ金額１０００円であり、一方Ｂ社買い上げ金額が４６円であるため、例えばＡ社での買物傾向が強いと判断する。そのため、Ａ社の「店舗ロゴマーク」と「コマーシャルメッセージ」をレシートに商品明細とともに印字する例である。図５(b)は、Ａ社とＢ社が逆の例である。
【００７６】
図６に特定商品の買い上げ点数優先方式のレシート印字例を示す。
【００７７】
Ａ社とＢ社に分類される特定商品を混在して購入された場合、何れかの社に属す商品の数が多い方の「店舗ロゴマーク」と「コマーシャルメッセージ」を印字する。
【００７８】
図６(a)では、下線部の商品が特定商品であり、顧客の購入商品についてＡ社特定商品が２点あり、一方Ｂ社特定商品が１点であるため、顧客の例えばＡ社での買物傾向が強いと判断している。そのため、Ａ社の「店舗ロゴマーク」と「コマーシャルメッセージ」をレシートに商品明細とともに印字する例である。図６(b)は、Ａ社とＢ社が逆の例である。
【００７９】
図７に特定商品の買い上げ金額優先方式のレシート印字例を示す。
【００８０】
Ａ社とＢ社に分類される特定商品を混在して購入された場合、何れかの社に属す商品の金額が多い方の「店舗ロゴマーク」と「コマーシャルメッセージ」を印字する。
【００８１】
図７(a)では、下線部の商品が特定商品であり、顧客の購入した特定商品についてＡ社での買い上げ金額１０００円であり、一方Ｂ社での買い上げ金額が２１円であるため、例えばＡ社での買い上げ傾向が強いと判断する。そのため、Ａ社の「店舗ロゴマーク」と「コマーシャルメッセージ」をレシートに商品明細とともに印字する例である。図７(b)は、Ａ社とＢ社が逆の例である。
【００８２】
この結果、顧客の購入した商品の情報を基にした店舗ロゴマークとコマーシャルメッセージをレシートに印字することができる。
【００８３】
以上の実施例１を含む実施形態に関し、更に以下の付記を開示する。
（付記１）複数の店舗からなる複合型店舗におけるＰＯＳ装置において、入力された商品データに基づいて商品情報を登録する商品情報登録手段と、一取引内に登録された商品情報を基に各店舗毎の購入商品数を求める商品数計算手段と、求められた商品数を基にレシートに出力する店舗を決定する商品数店舗決定手段と、決定された店舗のロゴマークおよびメッセージをレシートデータに編集し出力するレシートデータ編集出力手段とを有することを特徴とするＰＯＳ装置。
（付記２）商品数計算手段が、登録された商品情報の中の予め定めた特定商品について各店舗毎の商品数を求めることを特徴とする付記１記載のＰＯＳ装置。
（付記３）複数の店舗からなる複合型店舗におけるＰＯＳ装置において、入力された商品データに基づいて商品情報を登録する商品情報登録手段と、一取引内に登録された商品情報を基に各店舗毎の購入金額を求める購入金額計算手段と、求められた購入金額を基にレシートに出力する店舗を決定する商品金額店舗決定手段と、決定された店舗のロゴマークおよびメッセージをレシートデータに編集し出力するレシートデータ編集出力手段とを有することを特徴とするＰＯＳ装置。
（付記４）購入金額計算手段が、登録された商品情報の中の予め定めた特定商品について各店舗毎の購入金額を求めることを特徴とする付記３記載のＰＯＳ装置。
(付記５) 複数の店舗からなる複合型店舗におけるＰＯＳ装置のレシート編集出力方法であって、入力された商品データに基づいて商品情報を登録する商品情報登録ステップと、一取引内に登録された商品情報を基に各店舗毎の購入商品数を求める商品数計算ステップと、求められた商品数を基にレシートに出力する店舗を決定する商品数店舗決定ステップと、決定された店舗のロゴマークおよびメッセージをレシートデータに編集し出力するレシートデータ編集出力ステップとを有することを特徴とするＰＯＳ装置のレシート編集出力方法。
(付記６) 商品数計算ステップが、登録された商品情報の中の予め定めた特定商品についての各店舗毎の商品数を求めるステップであることを特徴とする付記５記載のＰＯＳ装置のレシート編集出力方法。
(付記７) 複数の店舗からなる複合型店舗におけるＰＯＳ装置のレシート編集出力方法において、入力された商品データに基づいて商品情報を登録する商品情報登録ステップと、一取引内に登録された商品情報を基に各店舗毎の購入金額を求める購入金額計算ステップと、求められた購入金額を基にレシートに出力する店舗を決定する商品金額店舗決定ステップと、決定された店舗のロゴマークおよびメッセージをレシートデータに編集し出力するレシートデータ編集出力ステップとを有することを特徴とするＰＯＳ装置のレシート編集出力方法。
(付記８) 購入金額計算ステップが、登録された商品情報の中の予め定めた特定商品についての各店舗毎の購入金額を求めるステップであることを特徴とする付記７記載のＰＯＳ装置のレシート編集出力方法。
【産業上の利用可能性】
【００８４】
本発明は、複合店舗におけるＰＯＳ装置の店舗ロゴマークとメッセージを商品情報に基づいて適切に印字する技術を提供する用途に適用できる。
【図面の簡単な説明】
【００８５】
【図１】実施例のＰＯＳ装置の構成図
【図２】実施例のＰＯＳ装置の処理の流れ図
【図３】レシートデータ編集処理の流れ図
【図４】買い上げ点数優先方式のレシート印字例
【図５】買い上げ金額優先方式のレシート印字例
【図６】特定商品の買い上げ点数優先方式のレシート印字例
【図７】特定商品の買い上げ金額優先方式のレシート印字例
【図８】テーブルの説明図
【図９】記憶部の説明図
【符号の説明】
【００８６】
１        ＰＯＳ装置
２        入力部
３        表示部
４        印字方式設定部
５        商品登録部
６        店舗決定処理部
７        レシートデータ編集部
８        レシート印字部
９        商品情報ファイル
１０        記憶部
【図１】
2005228021.tif 000003
【図２】
2005228021.tif 000004
【図３】
2005228021.tif 000005
【図４】
2005228021.tif 000006
【図５】
2005228021.tif 000007
【図６】
2005228021.tif 000008
【図７】
2005228021.tif 000009
【図８】
2005228021.tif 000010
【図９】
2005228021.tif 000011